(57)【特許請求の範囲】
【請求項１】
排気吸込み面および給気吸込み面が一方の側面に対し上下対称的となり、排気吹出し面および給気吹出し面が他方の側面に対し上下対称的となるように配置された熱交換素子を垂直方向に一列に複数配設した熱交換素子部と、
該熱交換素子部の一側方に配設され、かつ、室外給気を各給気吸込み面に分配する給気分配通路と、該熱交換素子部の一側方における該給気分配通路の前後何れかに配設され、かつ、室内排気を各排気吸込み面に分配する排気分配通路とを有する分配通路部と、
該熱交換素子部の他側方に配設され、かつ、前記各熱交換素子の給気吹出し面から排出された室外給気を集合する給気集合通路と、該熱交換素子部の他側方における該給気集合通路の前後何れかに配設され、かつ、前記各熱交換素子の排気吹出し面から排出された室内排気を集合する排気集合通路とを有する集合通路部と、
前記熱交換素子部の一側方の上部に配設され、一方で入口側給気ダクト接続口に連通され、他方で前記排気集合通路に連通する室内排気チャンバ部と、
前記熱交換素子部の他側方の上部に配設され、一方で室内排気を室外へ排出するための出口側排気ダクト接続口に連通され、他方で前記排気集合通路に吸込み口を開口した排気用送風機を収納する排気用送風機部と、
前記熱交換素子部の他側方の中央部に配設され、かつ、前記給気集合通路に吸込み口を開口した給気用送風機を収納する給気用送風機部と、
前記給気用送風機部および前記熱交換素子部の下部に配設された給気連通路部とを備え、
前記熱交換素子部の上部と、前記分配通路部の上部と、前記集合通路部の上部と、前記室内排気チャンバ部と、前記排気用送風機部とで上部ユニットを構成し、
前記熱交換素子部の下部と、前記分配通路部の下部と、前記集合通路部の下部と、前記給気用送風機部と、前記給気連通路部とで下部ユニットを構成し、前記上部ユニットは、前記熱交換素子部の上にさらに別の前記熱交換素子を配設可能な高さ寸法を有し、該両ユニットを分割可能としたことを特徴とする熱回収式空調換気装置。
【請求項２】
前記下部ユニットは、前記分配通路の側方に配設され、かつ、内部に加湿器を収納した加湿器部を更に備え、前記上部ユニットにおいて前記室内排気チャンバ部を分割可能とするとともに、前記下部ユニットにおいて前記加湿器部を分割可能としたことを特徴とする請求項１記載の熱回収式空調換気装置。
【請求項３】
分割可能部分の上面各４隅に吊り下げボルトの取付け用ネジ孔を設けたことを特徴とする請求項１または２記載の熱回収式空調換気装置。
【請求項４】
前記各部内のアフターサービスを可能とするメンテナンスパネルを略前記各部に区分して前後面それぞれに設けたことを特徴とする請求項１記載の熱回収式空調換気装置。
【請求項５】
前記給気連通路に冷温水コイルを前後面何れからでもスライド式に着脱可能に設置するとともに、該冷温水コイルの出入り口配管に開閉弁を設けたことを特徴とする請求項４記載の熱回収式空調換気装置。
【請求項６】
前記排気用送風機を前後面何れからでもスライド式に着脱可能に設置したことを特徴とする請求項４記載の熱回収式空調換気装置。
【請求項７】
前記給気用送風機を前後面何れからでもスライド式に着脱可能に設置したことを特徴とする請求項４記載の熱回収式空調換気装置。
【発明の詳細な説明】
【０００１】
【発明の属する技術分野】
この発明は、室内空気の排気と室外空気の給気とを熱交換素子により熱交換させる熱回収式空調用換気装置に関するものである。
【０００２】
【従来の技術】
従来の熱回収式空調換気装置としては、例えば、特開平６−１０９２８０号公報に関するものが知られている。この従来装置は、箱型の空調換気装置内の上部には排気用送風機や給気チャンバが配設され、このケーシングの中央部に熱交換素子とともに排気室、給気室が配設され、さらに、下部には高性能フィルタ、給気用送風機、ならびに、温水コイル、加湿器などの空気室加工部材が配設されており、全体が階層構成とされた一体型熱回収式空調換気装置である。
【０００３】
ところが、このような熱回収式空調換気装置では、既設建築物への搬入時、大型装置となることからその搬入が困難であった。また、既設建築物では用途により必要とする熱交換素子の能力が異なるが、用途に応じ熱交換素子の能力を変更することが容易でなかった。また、空気質加工部材は、既存の施設を利用する場合としない場合があって、新たに加湿器を必要としない場合もあるが、このような場合にこの空調換気装置から加湿器等の空気質加工部材を除外したとしても、その所要スペースが小さくならないという問題があった。
【０００４】
また一方、従来の他の熱回収式空調換気装置としては、例えば、特許第２７０１６６５号公報に記載のものがある。この空調換気装置は、投影平面形状が同一の空調換気装置内に空調換気に必要な機能構成部品をそれぞれ機能別に組み込んだ基本構造を持っていて、機能面から、熱交換素子、高性能フィルタなどを内装した熱交換ユニット、給気用送風機と排気用送風機とが組み込まれた送風ユニット、冷温水コイル、加湿素子、給水タンクを組み込んだ空気質加工ユニット、ダクトとの接続構造を持つ接続口が設けられた給排気端末ユニットが下から順に積み上げられた分割構造を備えている。
【０００５】
従って、この装置では、既設の建築物に搬入する場合、空調換気装置を分割することができるので、前記従来の一体型熱回収式空調換気装置のように搬入が困難になるというような問題が生じない。しかしながら、分割数が多いため、製品の部品点数が多くなり製品が高価になるという欠陥があった。また、搬入時の製品分割や再組み立ての工数が大となる欠陥があった。さらには、用途により熱交換素子の容量を増大させようとしても、熱交換素子が平面的に配置され、その所要スペースが一定であるため困難であった。また、前述のように既設建築物で空気質加工部材を必要としない場合、この従来の分割型熱回収式空調換気装置では、空気質加工ユニットを取り外しても所要床面積が一定であるため、装置の設置スペースが小さくならないという不合理があり、使い勝手が悪いと言う問題があった。
【０００６】
【発明が解決しようとする課題】
この発明は、従来の技術に存在する上記問題点に着目してなされたものであって、空調換気装置を必要以上に分割せず、かつ、用途への対応性を向上した熱回収式空調換気装置を提供することを目的とする。
【０００７】
【課題を解決するための手段】
上記目的を達成するために、第１の発明は、排気吸込み面および給気吸込み面が一方の側面に対し上下対称的となり、排気吹出し面および給気吹出し面が他方の側面に対し上下対称的となるように配置された熱交換素子を垂直方向に一列に複数配設した熱交換素子部と、該熱交換素子部の一側方に配設され、かつ、室外給気を各給気吸込み面に分配する給気分配通路と、該熱交換素子部の一側方における該給気分配通路の前後何れかに配設され、かつ、室内排気を各排気吸込み面に分配する排気分配通路とを有する分配通路部と、該熱交換素子部の他側方に配設され、かつ、前記各熱交換素子の給気吹出し面から排出された室外給気を集合する給気集合通路と、該熱交換素子部の他側方における該給気集合通路の前後何れかに配設され、かつ、前記各熱交換素子の排気吹出し面から排出された室内排気を集合する排気集合通路とを有する集合通路部と、前記熱交換素子部の一側方の上部に配設され、一方で入口側給気ダクト接続口に連通され、他方で前記排気集合通路に連通する室内排気チャンバ部と、前記熱交換素子部の他側方の上部に配設され、一方で室内排気を室外へ排出するための出口側排気ダクト接続口に連通され、他方で前記排気集合通路に吸込み口を開口した排気用送風機を収納する排気用送風機部と、前記熱交換素子部の他側方の中央部に配設され、かつ、前記給気集合通路に吸込み口を開口した給気用送風機を収納する給気用送風機部と、前記給気用送風機部および前記熱交換素子部の下部に配設された給気連通路部とを備え、前記熱交換素子部の上部と、前記分配通路部の上部と、前記集合通路部の上部と、前記室内排気チャンバ部と、前記排気用送風機部とで上部ユニットを構成し、前記熱交換素子部の下部と、前記分配通路部の下部と、前記集合通路部の下部と、前記給気用送風機部と、前記給気連通路部とで下部ユニットを構成し、前記上部ユニットは、前記熱交換素子部の上にさらに別の前記熱交換素子を配設可能な高さ寸法を有し、該両ユニットを分割可能としたものである。
【０００８】
また、第２の発明は、前記下部ユニットは、前記分配通路の側方に配設され、かつ、内部に加湿器を収納した加湿器部を更に備え、前記上部ユニットにおいて前記室内排気チャンバ部を分割可能とするとともに、前記下部ユニットにおいて前記加湿器部を分割可能としたものである。
【０００９】
また、第３の発明は、分割可能部分の上面各４隅に吊り下げボルト取付け用のネジ孔を設けたものである。
【００１０】
また、第４の発明は、前記各部内のアフターサービスを可能とするメンテナンスパネルを略前記各部に区分して前後面それぞれに設けたものである。
【００１１】
また、第５の発明は、前記給気連通路に冷温水コイルを前後面何れからでもスライド式に着脱可能に設置するとともに、該冷温水コイルの出入り口配管に開閉弁を設けたものである。
【００１２】
また、第６の発明は、前記排気用送風機を前後面何れからでもスライド式に着脱可能に設置したものである。
【００１３】
また、第７の発明は、前記給気用送風機を前後面何れからでもスライド式に着脱可能に設置したものである。
【００１４】
【発明の実施の形態】
以下、この発明を具体化した実施の形態を、図１〜図１３に基づいて詳細に説明する。
【００１５】
実施の形態に係る熱回収式空調換気装置は、図１〜図３の概略の全体構成説明図に示すように、熱交換素子部１０、分配通路部２０、集合通路部３０、室内排気チャンバ部４０、排気用送風機部５０、給気用送風機部６０、給気連通路部７０、加湿器部８０からなり、これら各部が組み合わされて空調換気装置１を構成している。なお、図２は、この空調換気装置１の正面から見た概略の全体構成説明図であり、この図２におけるＡ−Ａ線で上下分割して斜視図としたのが図１であり、このように分割しない一体型の状態での斜視図が図３である。
【００１６】
熱交換素子部１０は、空調換気装置１の中央部に区画形成され、その左側部には分配通路部２０が、また、右側部には集合通路部３０が配設されている。そしてこの熱交換素子部１０内には、複数（この場合３個）の熱交換素子１１が収納されている。各熱交換素子１１は、上記図２の熱交換素子部１０を拡大した図４に符号を付して示すように、給気吸込み面１１ａと排気吸込み面１１ｂとが左側面に向かって上下対称的な傾斜角をなし、かつ、給気吹出し面１１ｃと排気吹出し面１１ｄとが右側面に向かって上下対称的な傾斜角をなすように垂直方向に並べて配置されている。また、この熱交換素子１１は、空調換気装置１の前面および後面からスライド式に収納及び引出し可能に取付けられている。
【００１７】
また、給気吸込み面１１ａと排気吸込み面１１ｂとの間、および，給気吹出し面１１ｃと排気吹出し面１１ｄとの間には、それぞれ水平平板状の仕切り板１２ａ，１２ｂが配設されている。また、最上部の熱交換素子１１の頂部から上方に向けて熱交換素子部１０の上部を左右に区画する平板状の垂直仕切り板１３が配設されている。これら仕切り板１２ａ，１２ｂ，１３により、熱交換素子部１０の左側においては吸込み側給気チャンバ１４ａと吸込み側排気チャンバ１５ａとが上から下へ交互に配置されている。同様に、熱交換素子部１０の右側においては吹出し側排気チャンバ１５ｂと吹出し側給気チャンバ１４ｂとが上から下へ交互に配置されている。また、各給気吸込み面１１ａおよび排気吸込み面１１ｂには、室内排気中の塵埃を除去するためのフィルタ１８が取付けられている。なお、このフィルタ１８は、それぞれが空調換気装置１の前面および後面何れからもスライド式に着脱可能に設置されている。
【００１８】
また、図１から最も良く理解できるように、吸込み側給気チャンバ１４ａは分配通路部２０の後面側に配設された給気分配通路２１に連通され、吸込み側排気チャンバ１５ａは分配通路部２０の前面側に配設された排気分配通路２２に連通されている。また、吹出し側給気チャンバ１４ｂは集合通路部３０の前面側に配設された給気集合通路３１に連通され、吹出し側排気チャンバ１５ｂは集合通路部３０の後面側に配設された排気集合通路３２に連通されている。さらに、最上部の吸込み側給気チャンバ１４ａは、室外空気を取り込むための入口側給気ダクト接続口１７に連通されている。
【００１９】
分配通路部２０は、前述したように、また、図１から分かるように、前面側に排気分配通路２２が配設され、後面側に給気分配通路２１が配設され、さらに、排気分配通路２２の側方に排気バイパス通路２３が形成されている。この排気バイパス通路２３は、熱交換素子部１０下方の連絡部分２３ａを介し、熱交換素子１１の出口側となる排気集合通路３２に連絡されている。また、この排気バイパス通路２３と排気分配通路２２との分岐路には切り換えダンパ２４が配置されている。また、分配通路部２０の上部の空間部にはこの熱回収式空調換気装置を制御するコントローラ２８が配設されている。なお、排気分配通路２２と給気分配通路２１との前後関係は特に上記に拘泥されるものではなく、上記と逆の配置としても良い。
【００２０】
また、集合通路部３０は、前述したように、この実施の形態では前面側に給気集合通路３１が配設され後面側に排気集合通路３２が配設されているが、この位置関係に拘泥されるものではなく、排気集合通路３２を後面側とし、給気集合通路３１を前面側としても良い。
【００２１】
４０は、室内排気チャンバ部であって、側面に室内空気を取り込むための入口側排気ダクト接続口４１が設けられている。また、中央側の側面には前記排気分配通路２２の上部に設けられた連通口２５に連通されている。
【００２２】
排気用送風機部５０は、空調換気装置１の右上部に配置されており、内部に排気用送風機５１および同送風機用モータ５２を収納している。この送風機５１の吹出し口は、排気用送風機部５０の上面に設けられた室内排気を排出するための出口側排気ダクト接続口５３に連通されている。また、この排気用送風機５１の吸込み口は前記排気集合通路３２に開口されている。
そして、排気用送風機５１は、空調換気装置１の前面および後面何れからでもスライド式に収納および引出し可能に取付けられている。図５はその具体的構造例を示す。即ち、この例では、排気用送風機５１を集合通路部３０の壁面と案内ガイド５１ａとの間に前面または後面何れからでもスライドさせて収納および引出し可能に設置されている。
【００２３】
給気用送風機部６０は、空調換気装置１の右側中間高さ位置に配置されており、内部に給気用送風機６１および同送風機用モータ６２を収納している。この送風機６１の吹出し口は下方に向けられており、連通口６３を介し空調換気装置１の下部、即ち、排気バイパス通路２３の下部に配置された給気連通路７１を有する給気連通路部７０に連通されている。また、この給気用送風機６１の吸込み口は前記給気集合通路３１に開口されている。なお、具体的に図示しないが、この給気用送風機６１も前記図５に倣って前後面何れからでもスライドさせて収納および引出し可能に設置されている。
【００２４】
給気連通路部７０は、内部に冷温水コイルを収納可能とするように、ドレンパン７１が配設されている。
【００２５】
加湿器部８０は、縦方向に複数の加湿器８１を積み重ねてあり、給気連通路部７０を介して送られてきた室外給気を加湿するように配設され、また、この加湿器部８０の側面には、この加湿器８１で加湿された空気を室内に供給するための出口側給気ダクト接続口８２が設けられている。なお、これら加湿器８１も、空調換気装置１の前後面何れからでもスライドさせて収納および引出し可能に設置されている。
【００２６】
以上のように構成された各部を備えた空調換気装置１は、図２および図６に示すＡ−Ａ線で上部ユニット１ａと下部ユニット１ｂとに上下に分割可能に構成されており、図１に示すように上下分割される。また、図６に示すように、上下ユニット１ａ，１ｂの両側面の分割部には上下ユニット１ａ，１ｂを所定位置に固定するための略Ｌ字型の固定金具２がそれぞれボルト締めにより取り付けられている。
【００２７】
また、図１および図６に示すように、空調換気装置１は、Ｂ−Ｂ線で左右に分割可能に構成されている。即ち、上部ユニット１ａは、排気チャンバ部４０が分割できるように構成されている。また、下部ユニット１ｂは、加湿器部８０が分割可能に構成されている。なお、図６に示す様にこの左右の分割面では、フレーム間がボルト３によりネジ止めされて固定されており、このボルト３を着脱して、排気チャンバ部４０および加湿器部８０が着脱できるように構成されている。
【００２８】
従って、空調換気装置１は４分割できるように構成されている。図７は、上部ユニット１ａの隅部５（図１〜図３参照）の部分図であって、この図面に示されるようにフレーム５ａの上面５ｂには、ばか孔５ｄが設けられている。そして、上面５ｂの下方から吊りボルト固定金具５ｃが当接され、複数個所５ｇでスポット溶接されている。このとき吊りボルト固定金具５ｃの上面に設けられた吊りボルト６取り付け用ネジ孔５ｅと前記ばか孔５ｄとは中心が略合致するように構成されている。そして、このような構成は、各分割部分の上面各４隅に形成されている。従って、搬入時吊りボルト６を各分割部分の上面各４隅に取り付けることにより、各分割部分毎に吊り下げて搬入することが可能となる。なお、吊りボルト固定金具５ｃの上面の端部が折り曲げられているのは吊りボルト固定金具５ｃの強度を向上させるためのものである。
【００２９】
また、図８の前面外観図および図９の後面外観図に示すように、上記構成の各部１０、２０、３０、４０、５０、６０、８０毎の前後面それぞれに略区分されたメンテナンスパネル８ａ〜８ｇ、９ａ〜９ｇが取り付けられており、これらメンテナンスパネル８ａ〜８ｇ、９ａ〜９ｇを開放することにより前後面何れからでもサービスを可能としている。この実施の形態では熱交換素子部１０の部分の前後面それぞれが上下に２分割されたメンテナンスパネル８ｂ、８ｃ、９ｂ、９ｃとなっており、集合通路部３０、排気用送風機部５０および給気用送風機部６０の部分が前後面それぞれで１枚に統合されたメンテナンスパネル８ａ、９ａとなっている。また、これらメンテナンスパネル８ａ〜８ｇ、９ａ〜９ｇはそれぞれ空調換気装置１の設置場所に運び込まれた後最終的に固定される前に取付けられる。
【００３０】
次に、この実施の形態の熱回収式空調換気装置１の作用について述べる。室内排気は、図１〜図３に示す矢印イのように流通され、まず入口側排気ダクト接続口４１から空調換気装置１内に取り込まれ、連通口２５および排気分配通路２２を通って熱交換素子部１０の吸込み側排気チャンバ１５ａ（図１参照）に入る。そして、熱交換素子１１で室内に送風される室外給気と熱交換して熱回収された後、吹出し側排気チャンバ１５ｂ（図１参照）、排気集合通路３２（図１参照）を介して排気用送風機５１に吸い込まれ、出口側排気ダクト接続口５３より室外に排出される。なお、室内排気の熱の回収が不要なときは、切り換えダンパ２４により切り換えまたは排気バイパス通路２３を開度調節して開き、室内排気の全部または一部を熱交換素子１１をバイパスして排気集合通路３２に送風される。
【００３１】
一方、入口側給気ダクト接続口１７から空調換気装置１内に取り込まれた室外給気は、図１〜図３に示す矢印ロのように流通され、まず給気分配通路２１から熱交換素子部１０の吸込み側給気チャンバ１４ａに入る。そして、熱交換素子１１で室内排気と熱交換し、吹出し側給気チャンバ１４ｂ、給気集合通路３１を介して給気用送風機６１に吸い込まれる。そして、給気連通路７１を介して加湿器部８０に送られ、ここで加湿器８１により適宜加湿されて、出口側給気ダクト接続口８２を介して室内に供給される。
【００３２】
この実施の形態の熱回収式空調換気装置１は以上のように構成されているので、空調換気装置１を上下に分割して搬入作業を容易にすることができる。例えば、発明者らの製作した空調換気装置１の外形寸法（即ち、高さ×幅×奥行き）は１９９７ｍｍ×１７３０ｍｍ×５９０ｍｍであったが、これを上記のように分割することにより、上部ユニット１ａの外形寸法が７２７ｍｍ×１７３０ｍｍ×５９０ｍｍとなり、下部ユニット１ｂの外形寸法が１２７０ｍｍ×１７３０ｍｍ×５９０ｍｍとなった。一方、既設建築物における搬入用エレベータの一般の内寸法（即ち、エレベータ内の高さ×幅×奥行き）は、１９００ｍｍ×１９９７ｍｍ×８５０ｍｍである。従って、上記の上下ユニット１ａ，１ｂを横倒しにすることにより容易に搬入用エレベータに積み込むことができる。
【００３３】
また、既設の建築物に設置するような場合であって、既設の加湿器を利用することにより加湿器８１が不要となる場合には、加湿器部８０を取り外して使用することができる。
【００３４】
また、設置場所により図１０のように、上部ユニット１ａから室内排気チャンバ部４０を取り外し、入口側排気ダクト接続口４０を上部ユニット１ａの側面に直接取付け、入口側排気ダクト４１ａと出口側給気ダクト８２ａを並列して立ち上げるなど、用途に応じ便宜な取り扱いが可能となる。
【００３５】
また、設置場所により、換気熱負荷が大きく熱交換素子の容量を大きくしたい場合には、上部ユニット１ａ内に収納する熱交換素子１１の個数を増加することにより、設置床スペースを同一としたままで熱交換素子１１の数を増加することができる。例えば、図１〜３における３個の熱交換素子を４個に増加したい場合、熱交換素子１１を垂直方向に積み上げる構造を採用しているので、上部ユニット１ａに内蔵する熱交換素子１１の個数を２個に増加する。
【００３６】
図１１は、このように上部ユニット１ａ内の熱交換素子１１を２個とし、合計４個の熱交換素子１１を収納した場合の正面から見た概略の全体構成図を示している。この場合、上部ユニット１ａは、熱交換素子１１を２個にするために若干高さ寸法を大きくしている。また、加湿器部８０は、上部ユニット１ａを高くした分だけ高さ寸法を大きくしており、空調換気装置１としては上面が一定寸法に成るように構成している。しかし、上部ユニット１ａの高さを当初からこの図１１のように高さを大きく設計しておき、例えば４個の熱交換素子１１を必要に応じ３個に減らして使用するようにしても良い。このように熱交換素子１１を３個に減らして使用する場合は、最上部の熱交換素子１１を取り外し、この部分で室内排気と室外給気とが混合することのないように、めくら板などにより排気通路部２０と給気通路通路部３０とを区分けするように構成すれば良い。
【００３７】
また、既設建築物であって、既設の冷温水コイルの能力が不足するような場合に、この空調換気装置１に冷温水コイルを設置することもできる。図１２は冷温水コイル７３の配置位置を示し、図１３は冷温水コイル７３の取付け方を示している。これら図に示されるように、まず、給気連通路７１の下部に案内ガイド７６を取り付ける。そして、冷温水コイル７３を案内ガイド７６上で前面または後面から矢印方向７３ａにスライドさせ、所定の位置で固定して給気連通路部７０内に収納している。なお、７４，７５はこの冷温水コイル７３の出入り口用閉鎖弁である。
【００３８】
また、この実施の形態による空調換気装置は、図８および図９に基づき先に説明したように、各部１０，２０，３０，４０，５０，６０，７０，８０に略区分してメンテナンスパネル８ａ〜８ｇ、９ａ〜９ｇを取り付けている。また、熱交換素子１１や、フィルタ１８や、加湿器８１や、送風機５１．６１を前後面何れからでもスライド式に収納および引き出し可能に設置している。従って、各部１０，２０，３０，４０，５０，６０，７０，８０内は、前面および後面何れからでもサービス可能である。
【００３９】
【発明の効果】
本発明は、以上のように構成されているため、次のような効果を奏する。
【００４０】
第１の発明に係る熱回収式空調換気装置は、熱交換素子を垂直方向に積み重ねた熱交換素子部の両側に分配通路と集合通路を配設し、空調換気装置を熱交換素子部の上部、分配通路部の上部、集合通路部の上部、室内排気チャンバ部、排気用送風機部を含む上部ユニットと、熱交換素子部の下部、分配通路部の下部、集合通路部の下部、排気用送風機部、給気連通路部を含む下部ユニットとに分割する構造としたので、分割数が適切になり搬入時の分解再組み立て工数を抑制しつつ、搬入を容易にすることができる。また、上部ユニットは、熱交換素子部の上にさらに別の熱交換素子を配設可能な高さ寸法を有しているので、上部ユニットに収納される熱交換素子の個数を増やすことにより設置床スペースを増加させることなく熱交換素子の能力を増加させることができる。
【００４１】
また、第２の発明に係る熱回収式空調換気装置は、下部ユニットに分配通路の側方に配設されて内部に加湿器を収納した加湿器部を更に備え、上部ユニットにおいて室内排気チャンバ部を分割可能とするとともに、下部ユニットにおいて加湿器部を分割可能としたので、用途に応じ加湿器部および排気チャンバ部を省略して、空調換気装置の小型化、コスト低減を図ることができる。ダクトスペースの確保が容易になる。
【００４２】
また、第３の発明に係る熱回収式空調換気装置は、分割可能部分の上面各４隅に吊り下げボルトのネジ孔を設けたので、各分割部分に吊り下げボルトを取り付けて、容易に搬入することができる。
【００４３】
また、第４の発明に係る熱回収式空調換気装置は、前記各部内のアフターサービスを可能とするメンテナンスパネルを略各部に区分して前後面それぞれに設けたので、設置スペースの状況により空調換気装置を前後面選択して設置することができ、これによりダクト工事の容易化、あるいはダクトスペースの低減を図ることができる。
【００４４】
また、第５の発明に係る熱回収式空調換気装置は、前記給気連通路に冷温水コイルを前後面何れからでもスライド式に着脱可能に設置するとともに、該冷温水コイルの出入り口配管に開閉弁を設けたので、前後何れの面からのサービスもより一層容易になる。
【００４５】
また、第６の発明に係る熱回収式空調換気装置は、前記排気用送風機を前後面何れからでもスライド式に着脱可能に設置したので、前後何れの面からのサービスもより一層容易になる。
【００４６】
また、第７の発明に係る熱回収式空調換気装置は、前記給気用送風機を前後面何れからでもスライド式に着脱可能に設置したので、前後何れの面からのサービスもより一層容易になる。
【図面の簡単な説明】
【図１】  この発明の実施の形態に係る熱回収式空調換気装置を上下に分割した状態で示す概略の全体構成斜視図である。
【図２】  この発明の実施の形態に係る熱回収式空調換気装置の正面から見た概略の全体構成説明図である。
【図３】  この発明の実施の形態に係る熱回収式空調換気装置の概略の全体構成斜視図である。
【図４】  図２の熱交換素子部の拡大図である。
【図５】  この発明の実施の形態に係る熱回収式空調換気装置における排気用送風機の取付け要領図である。
【図６】  この発明の実施の形態に係る熱回収式空調換気装置における上下ユニット間の固定要領図である。
【図７】  この発明の実施の形態に係る熱回収式空調換気装置における吊り下げボルト部説明図である。
【図８】  この発明の実施の形態に係る熱回収式空調換気装置の前面外観図である。
【図９】  この発明の実施の形態に係る熱回収式空調換気装置の後面外観図である。
【図１０】  この発明の実施の形態に係る熱回収式空調換気装置の設置状態図であって、排気チャンバ部を取り外した場合の設置例を示す。
【図１１】  この発明の実施の形態に係り、上部ユニットに熱交換素子を２個配置した熱回収式空調換気装置の概略の全体構成図である。
【図１２】  この発明の実施の形態に係る熱回収式空調換気装置における冷温水コイルの配置図である。
【図１３】  この発明の実施の形態に係る熱回収式空調換気装置における冷温水コイルの取付け説明図である。
【符号の説明】
１  空調換気装置、  １ａ  上部ユニット、  １ｂ  下部ユニット、  ８ａ〜８ｇ，９ａ〜９ｇ  メンテナンスパネル、  １０  熱交換素子部、  １１  熱交換素子、  １１ａ  給気吸込み面、  １１ｂ  排気吸込み面、  １１ｃ  給気吹出し面、  １１ｄ  排気吹出し面、  ２０  分配通路部、  ２１  給気分配通路、  ２２  排気分配通路、  ３０  集合通路部、  ３１  給気集合通路、  ３２排気集合通路、  ４０  排気チャンバ部、  ４１  入口側排気ダクト接続口、５０  排気用送風機部、  ５１  排気用送風機、  ６０  給気用送風機部、  ６１  給気用送風機、  ７０  給気連通路部、  ７１  給気連通路、７３  冷温水コイル、  ７４，７５  開閉弁、  ８０  加湿器部、  ８１  加湿器。
【図１】
0003696749.tif 000002
【図２】
0003696749.tif 000003
【図３】
0003696749.tif 000004
【図４】
0003696749.tif 000005
【図５】
0003696749.tif 000006
【図６】
0003696749.tif 000007
【図７】
0003696749.tif 000008
【図８】
0003696749.tif 000009
【図９】
0003696749.tif 000010
【図１０】
0003696749.tif 000011
【図１１】
0003696749.tif 000012
【図１２】
0003696749.tif 000013
【図１３】
0003696749.tif 000014